(57)【特許請求の範囲】
【請求項１】
自機起動時、視聴不可状態が一定時間続いたとき、および、ユーザ操作が行われたときに、チャンネルリストが表示部に表示されている間、表示されているチャンネルを順番に繰り返し選局して受信状況を確認し、各チャンネルの受信状況を、選局操作に使用するキー上に表示することを特徴とする放送受信機。
【請求項２】
受信状況表示を、選局操作に使用するキーの光の強弱および／または色によって表示することを特徴とする請求項１記載の放送受信機。
【請求項３】
自機起動時、視聴不可状態が一定時間続いたとき、および、ユーザ操作が行われたときに、チャンネルリストが表示部に表示されている間、表示されているチャンネルを順番に繰り返し選局して受信状況を確認するステップと、各チャンネルの受信状況を、選局操作に使用するキー上に表示するステップとを有することを特徴とする放送受信方法。
【請求項４】
コンピュータに、自機起動時、視聴不可状態が一定時間続いたとき、および、ユーザ操作が行われたときに、チャンネルリストが表示部に表示されている間、表示されているチャンネルを順番に繰り返し選局して受信状況を確認する処理と、各チャンネルの受信状況を、選局操作に使用するキー上に表示する処理とを実行させることを特徴とするプログラム。
【発明の詳細な説明】
【技術分野】
【０００１】
本発明は、放送局からの放送を受信する受信機が各チャンネルの受信状態を確認し、その受信状態を画面上に表示する技術に関する。
【背景技術】
【０００２】
移動しながら放送を受信できる携帯型放送受信機では、受信する場所によって、あるいは放送受信機の向きの変化等に応じて、放送の受信状態の良否が変わる。
【０００３】
一般的に、受信状態を確認するためには、ユーザが１つずつ放送局を受信操作して（チャンネルを変更して）そのときの絵音表示や受信状況表示をユーザが確認している。
【０００４】
放送を受信してから絵音が出力されるまでにはデコード処理の時間がかかるため、ユーザが受信状況を絵音から確認しようとすると時間がかかってしまう。
【０００５】
また、１チャンネルずつユーザ操作が必要となるので、多くのチャンネル確認しようとするとさらに時間がかかってしまう。
【０００６】
関連技術として、放送局からの放送を受信する受信機であって、各チャンネルの受信状態を確認し、その受信状態を画面上に表示する技術がある（例えば、特許文献１、特許文献２参照）。
【特許文献１】特開２００５−２６９５０６号公報
【特許文献２】特開２００６−０１３９４５号公報
【発明の開示】
【発明が解決しようとする課題】
【０００７】
しかしながら、上述の特許文献１は、感度スキャン後にその結果を表示するものであり、受信機の向きの変化等に応じて、受信状況が変化する様子をリアルタイムに確認することは困難であった。
【０００８】
また、上述の特許文献２は、チューナを２つ使用する構成となっており、構成が複雑となり、さらに全ＣＨスキャンを行っているため、確認時間が長時間になってしまっていた。
【０００９】
本発明は、以上のような課題を解決するためになされたもので、高速に受信状況の確認を行うことができ、各放送局の受信状況を一覧表示で確認することができる放送受信機、放送受信方法およびプログラムを提供することを目的とする。
【課題を解決するための手段】
【００１０】
本発明の放送受信機は、自機起動時、視聴不可状態が一定時間続いたとき、および、ユーザ操作が行われたときに、チャンネルリストが表示部に表示されている間、表示されているチャンネルを順番に繰り返し選局して受信状況を確認し、各チャンネルの受信状況を、選局操作に使用するキー上に表示することを特徴とする。
【００１２】
本発明の放送受信方法は、自機起動時、視聴不可状態が一定時間続いたとき、および、ユーザ操作が行われたときに、チャンネルリストが表示部に表示されている間、表示されているチャンネルを順番に繰り返し選局して受信状況を確認するステップと、各チャンネルの受信状況を、選局操作に使用するキー上に表示するステップとを有することを特徴とする。
【００１４】
本発明のプログラムは、コンピュータに、自機起動時、視聴不可状態が一定時間続いたとき、および、ユーザ操作が行われたときに、チャンネルリストが表示部に表示されている間、表示されているチャンネルを順番に繰り返し選局して受信状況を確認する処理と、各チャンネルの受信状況を、選局操作に使用するキー上に表示する処理とを実行させることを特徴とする。
【発明の効果】
【００１６】
本発明によれば、高速に受信状況の確認を行うことができ、各放送局の受信状況を一覧表示で確認すること可能となる。
【発明を実施するための最良の形態】
【００１７】
以下、本発明の第一の実施の形態について図面を参照して詳細に説明する。図１は本実施の形態における放送受信機１０の構成図である。
【００１８】
アンテナ１１で受信した信号は、放送受信部１２へ入力される。放送受信部１２では、制御部１４によって指定されたチャンネルに該当する周波数の信号を受信し、復調する。制御部１４は、受信制御、受信データ（映像、音声など）のデコード、表示制御など、放送受信機１０における制御処理全般を行う部分である。放送受信部１２から出力された受信データは、制御部１４にて映像、音声などへデコードされ、表示部１５へ表示、および、音声提示部１６へ提示される。キー入力部１３はチャンネル設定などユーザからの放送受信に関する指示を受け付ける部分であり、入力された情報は制御部１４へ入力され、受信制御、表示制御に利用される。チャンネルリスト情報保持部１７は、選局時に使用する、チャンネルリスト情報を保持する部分である。
【００１９】
放送受信機１０では、ユーザが視聴する放送局を容易に選択できるよう、リモコンや放送受信機１０の数字キーに物理チャンネル（周波数）を割り当てたり、受信可能放送局一覧を画面に表示させて選択できるようにしたり、といった、受信可能なチャンネルのリストを登録する手段を持つ。
【００２０】
チャンネルリストの作成方法としては、例えば、予め放送受信機１０内に地域単位のチャンネルリストを保持しておき、放送受信機１０使用開始時にユーザが設定した地域のチャンネルリストを利用する方法や、チャンネルスキャンによって各物理チャンネル（周波数）の受信可否を確認してチャンネルリストを作成する方法、などが存在する。ユーザのキー入力部１３からのキー操作等で放送局の選択が行われたとき、放送受信機１０では、チャンネルリストに基づいて、選択された放送局を受信できる物理チャンネルを選局する。
【００２１】
チャンネルリスト情報の例を図２に示す。また、チャンネルリストの表示例を図３に示す。
【００２２】
このチャンネルリストがユーザ操作等で表示された際に、放送受信機１０はチャンネルリストを表示している裏で、チャンネルリストに表示されている放送局について受信状況を確認し、表示部１５へ表示する。このフローを図５に示す。
【００２３】
図５を参照すると、放送受信機１０は、チャンネルリスト情報保持部１７に基づくチャンネルリストが表示部１５へ表示されたことをトリガにして、受信状況の確認を開始する（Ｓ５０１）。受信状況確認を開始すると、まず、チャンネルリストの先頭にあるチャンネルの物理チャンネル番号を読み込む（Ｓ５０２）。例えば、図３のチャンネルリストの場合、物理チャンネル番号＝２７を読み込む。
【００２４】
次に、読み込んだ物理チャンネル＝２７を選局する（Ｓ５０３）。選局後、受信状況を判定できるまでの時間だけ待ち、アンテナ１１で受信した信号は、放送受信部１２へ入力される。放送受信部１２では、制御部１４によって指定されたチャンネルに該当する周波数の信号を受信し、Ｃ／Ｎ等の受信状況を取得する。この取得した受信状況から、しきい値判定等で受信状況の強さを判定し（Ｓ５０４）、チャンネルリストとともに表示部１５へ表示する（Ｓ５０５）。受信状況の強さをアンテナの数で表す表示例を図４に示す。
【００２５】
この、受信状況確認を、チャンネルリストに格納されている順に、選局する物理チャンネルを変えながら行う（Ｓ５０６、Ｓ５０７）。チャンネルリストの最後の物理チャンネルの受信状況確認が終わった場合（Ｓ５０６／なし）、チャンネルリストの先頭に戻って（Ｓ５０２）受信確認を行う。
【００２６】
以上の処理を、チャンネルリストが表示されている間、繰り返す。ユーザ操作によって視聴放送局が指定される等、チャンネルリスト表示が終了した際、受信確認の繰り返しを終了する。
【００２７】
上記の本実施の形態によれば、受信状態の確認のために絵音表示まで待たなくて良いため、また、一チャンネルずつチャンネル変更をするユーザ操作を必要としないため、高速に受信状況の確認を行うことができる。また、各放送局の受信状況を一覧表示で確認することができるため、視認性が良い。
【００２８】
本発明の他の実施の形態として、受信状況の表示方法については、チャンネルリスト上に表示する以外にも、ユーザが放送局を選局する際に使用する、各放送局に該当するキー上に表示しても良い。また、各放送局に該当するキーを光らせる場合の、光の強弱や色によって表示しても良い。他にも、チャンネルリストでなく、番組表のような、複数の放送局が同時に表示されている画面上に受信状況を表示しても良い。
【００２９】
本発明のさらなる他の実施の形態として、受信状況確認開始のタイミングについては、チャンネルリストの表示タイミングとしたが、受信状況確認開始用のメニューやキーを新たに設けて、ユーザから受信状況確認開始の操作が行われたとき、としても良い。また、ある放送を視聴中に受信不可状態が一定時間続いたときや、放送受信機を起動したとき、等であっても良い。
【００３０】
本発明のさらなる他の実施の形態として、表示する受信状況については、Ｃ／Ｎ、電界強度、ＢＥＲ、ＭＥＲ等の値そのものでもよいし、これらの受信状況に関連する複数のパラメータから計算した値や、その値から数段階に受信状況を判断した結果を表示しても良い。
【００３１】
なお、上述する各実施の形態は、本発明の好適な実施の形態であり、本発明の要旨を逸脱しない範囲内において種々変更実施が可能である。例えば、放送受信機１０の機能を実現するためのプログラムを受信機に読込ませて実行することにより受信機の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、追加の装置により機能が分散されて実現される形態も本発明の範囲内である。
【図面の簡単な説明】
【００３２】
【図１】本発明の実施の形態に係る放送受信機の構成図である。
【図２】本発明の実施の形態に係るチャンネルリスト情報の例を示す図である。また、
【図３】本発明の実施の形態に係るチャンネルリストの表示例を示す図である。
【図４】本発明の実施の形態に係る受信状況の強さをアンテナの数で表す表示例を示す図である。
【図５】本発明の実施の形態に係る処理動作の例を説明する図である。
【符号の説明】
【００３３】
１０    放送受信機
１１    アンテナ
１２    放送受信部
１３    キー入力部
１４    制御部
１５    表示部
１６    音声提示部
１７    チャンネルリスト情報保持部
【図１】
0005262317.tif 000002
【図２】
0005262317.tif 000003
【図３】
0005262317.tif 000004
【図４】
0005262317.tif 000005
【図５】
0005262317.tif 000006